【手続補正書】
【提出日】平成21年2月6日(2009.2.6)
【手続補正１】
【補正対象書類名】特許請求の範囲
【補正対象項目名】全文
【補正方法】変更
【補正の内容】
【特許請求の範囲】
【請求項１】
記録媒体に画像を形成する画像形成部と、
記録媒体を収容する少なくとも一つのトレイと、
記録媒体情報と第１名称とを対応付けて第１名称記録媒体情報とし、複数の第１名称記録媒体情報を登録する登録手段と、
前記登録手段に登録された複数の第１名称記録媒体情報から選択された第１名称記録媒体情報を、トレイに対応付けて設定する設定手段と、を備えることを特徴とする画像形成装置。
【請求項２】
前記登録手段は、第１名称の入力を受け付け、当該入力された第１名称を登録することを特徴とする請求項１に記載の画像形成装置。
【請求項３】
前記登録手段は、記録媒体情報として入力された項目の少なくとも一つを第１名称として自動的に登録することを特徴とする請求項１又は２に記載の画像形成装置。
【請求項４】
前記登録手段は、記録媒体情報の項目として紙種の入力を受け付けた場合に、前記紙種を第１名称として自動的に登録することを特徴とする請求項３に記載の画像形成装置。
【請求項５】
前記登録手段は、前記登録された第１名称記録媒体情報における第１名称及び記録媒体情報をそれぞれ変更可能であることを特徴とする請求項１から４のいずれか一項に記載の画像形成装置。
【請求項６】
前記設定手段は、選択された第１名称記録媒体情報における第１名称及び記録媒体情報を、それぞれトレイの名称及びトレイの記録媒体情報として設定することを特徴とする請求項１から５のいずれか一項に記載の画像形成装置。
【請求項７】
前記設定手段は、設定した前記トレイの記録媒体情報を変更可能であることを特徴とする請求項６に記載の画像形成装置。
【請求項８】
前記設定手段は、トレイの記録媒体情報を変更するにあたり、前記トレイの記録媒体情報に対応するトレイの名称が任意に設定されていない場合は、変更した記録媒体情報の項目の少なくとも一つをトレイの名称として自動的に設定することを特徴とする請求項７に記載の画像形成装置。
【請求項９】
前記設定手段は、トレイの記録媒体情報の項目として紙種を変更するにあたり、前記トレイの記録媒体情報に対応するトレイの名称が任意に設定されていない場合は、変更した紙種をトレイの名称として自動的に設定することを特徴とする請求項８に記載の画像形成装置。
【請求項１０】
前記設定手段は、トレイの名称及びトレイの記録媒体情報に、用紙サイズ情報を対応付けて設定することを特徴とする請求項６から９のいずれか一項に記載の画像形成装置。
【請求項１１】
トレイの名称と、トレイの記録媒体情報と、用紙サイズ情報をともに表示する表示部を有することを特徴とする請求項１０に記載の画像形成装置。
【請求項１２】
前記設定手段は、第１名称を用いて複数の第１名称記録媒体情報から第１名称記録媒体情報を選択することを特徴とする請求項１から１１のいずれか一項に記載の画像形成装置。
【請求項１３】
前記登録された第１名称とともに、対応する記録媒体情報を表示する表示部を備えることを特徴とする請求項１から１２のいずれか一項に記載の画像形成装置。
【請求項１４】
記録媒体に画像を形成する画像形成部と、
記録媒体を収容する少なくとも一つのトレイと、
前記トレイの記録媒体情報及び前記トレイの名称を設定する設定手段と、を備え、
前記設定手段は、前記設定したトレイの記録媒体情報を変更可能であり、トレイの記録媒体情報を変更するにあたり、前記トレイの記録媒体情報に対応するトレイの名称が任意に設定されていない場合は、変更した記録媒体情報の項目の少なくとも一つをトレイの名称として自動的に設定することを特徴とする画像形成装置。
【請求項１５】
前記設定手段は、トレイの記録媒体情報として紙種を変更するにあたり、前記トレイの記録媒体情報に対応するトレイの名称が任意に設定されていない場合は、その変更した紙種をトレイの名称として自動的に設定することを特徴とする請求項１４に記載の画像形成装置。
【請求項１６】
前記記録媒体情報は、記録媒体の紙種、坪量、色、パンチ穴の有無、主副画像位置及び主副走査倍率の少なくとも一つの項目を含むことを特徴とする請求項１から１５のいずれか一項に記載の画像形成装置。
【請求項１７】
前記画像形成部は、トレイの記録媒体情報に基づいて、当該トレイに収容された記録媒体に画像を形成することを特徴とする請求項１から１６のいずれか一項に記載の画像形成装置。
【請求項１８】
記録媒体情報と第１名称とを対応付けて第１名称記録媒体情報とし、複数の第１名称記録媒体情報を登録する工程と、
前記登録された複数の第１名称記録媒体情報から選択された第１名称記録媒体情報を、記録媒体を収容するトレイに対応付けて設定する工程と、を含むことを特徴とする記録媒体情報設定方法。
【請求項１９】
記録媒体を収容するトレイの記録媒体情報及びトレイの名称を設定する工程と、
前記設定したトレイの記録媒体情報を変更するにあたり、前記トレイの記録媒体情報に対応するトレイの名称が任意に設定されていない場合は、変更した記録媒体情報の項目の少なくとも一つをトレイの名称として自動的に設定する工程と、を含むことを特徴とする記録媒体情報設定方法。
【手続補正２】
【補正対象書類名】明細書
【補正対象項目名】０００９
【補正方法】変更
【補正の内容】
【０００９】
上記の課題を解決するために、請求項１に記載の発明は、
記録媒体に画像を形成する画像形成部と、
記録媒体を収容する少なくとも一つのトレイと、
記録媒体情報と第１名称とを対応付けて第１名称記録媒体情報とし、複数の第１名称記録媒体情報を登録する登録手段と、
前記登録手段に登録された複数の第１名称記録媒体情報から選択された第１名称記録媒体情報を、トレイに対応付けて設定する設定手段と、を備えることを特徴とする画像形成装置である。
【手続補正３】
【補正対象書類名】明細書
【補正対象項目名】００１１
【補正方法】変更
【補正の内容】
【００１１】
請求項３に記載の発明は、請求項１又は２に記載の画像形成装置において、
前記登録手段は、記録媒体情報として入力された項目の少なくとも一つを第１名称として自動的に登録することを特徴とする。
【手続補正４】
【補正対象書類名】明細書
【補正対象項目名】００１２
【補正方法】変更
【補正の内容】
【００１２】
請求項４に記載の発明は、請求項３に記載の画像形成装置において、
前記登録手段は、記録媒体情報の項目として紙種の入力を受け付けた場合に、前記紙種を第１名称として自動的に登録することを特徴とする。
【手続補正５】
【補正対象書類名】明細書
【補正対象項目名】００１３
【補正方法】変更
【補正の内容】
【００１３】
請求項５に記載の発明は、請求項１から４のいずれか一項に記載の画像形成装置において、
前記登録手段は、前記登録された第１名称記録媒体情報における第１名称及び記録媒体情報をそれぞれ変更可能であることを特徴とする。
【手続補正６】
【補正対象書類名】明細書
【補正対象項目名】００１４
【補正方法】変更
【補正の内容】
【００１４】
請求項６に記載の発明は、請求項１から５のいずれか一項に記載の画像形成装置において、
前記設定手段は、選択された第１名称記録媒体情報における第１名称及び記録媒体情報を、それぞれトレイの名称及びトレイの記録媒体情報として設定することを特徴とする。
請求項７に記載の発明は、請求項６に記載の画像形成装置において、
前記設定手段は、設定した前記トレイの記録媒体情報を変更可能であることを特徴とする。
請求項８に記載の発明は、請求項７に記載の画像形成装置において、
前記設定手段は、トレイの記録媒体情報を変更するにあたり、前記トレイの記録媒体情報に対応するトレイの名称が任意に設定されていない場合は、変更した記録媒体情報の項目の少なくとも一つをトレイの名称として自動的に設定することを特徴とする。
【手続補正７】
【補正対象書類名】明細書
【補正対象項目名】００１５
【補正方法】変更
【補正の内容】
【００１５】
請求項９に記載の発明は、請求項８に記載の画像形成装置において、
前記設定手段は、トレイの記録媒体情報の項目として紙種を変更するにあたり、前記トレイの記録媒体情報に対応するトレイの名称が任意に設定されていない場合は、変更した紙種をトレイの名称として自動的に設定することを特徴とする。
請求項１０に記載の発明は、請求項６から９のいずれか一項に記載の画像形成装置において、
前記設定手段は、トレイの名称及びトレイの記録媒体情報に、用紙サイズ情報を対応付けて設定することを特徴とする。
請求項１１に記載の発明は、請求項１０に記載の画像形成装置において、
トレイの名称と、トレイの記録媒体情報と、用紙サイズ情報をともに表示する表示部を有することを特徴とする。
請求項１２に記載の発明は、請求項１から１１のいずれか一項に記載の画像形成装置において、
前記設定手段は、第１名称を用いて複数の第１名称記録媒体情報から第１名称記録媒体情報を選択することを特徴とする。
【手続補正８】
【補正対象書類名】明細書
【補正対象項目名】００１６
【補正方法】変更
【補正の内容】
【００１６】
請求項１３に記載の発明は、請求項１から１２のいずれか一項に記載の画像形成装置において、
前記登録された第１名称とともに、対応する記録媒体情報を表示する表示部を備えることを特徴とする。
【手続補正９】
【補正対象書類名】明細書
【補正対象項目名】００１７
【補正方法】変更
【補正の内容】
【００１７】
請求項１４に記載の発明は、
記録媒体に画像を形成する画像形成部と、
記録媒体を収容する少なくとも一つのトレイと、
前記トレイの記録媒体情報及び前記トレイの名称を設定する設定手段と、を備え、
前記設定手段は、前記設定したトレイの記録媒体情報を変更可能であり、トレイの記録媒体情報を変更するにあたり、前記トレイの記録媒体情報に対応するトレイの名称が任意に設定されていない場合は、変更した記録媒体情報の項目の少なくとも一つをトレイの名称として自動的に設定することを特徴とする画像形成装置である。
【手続補正１０】
【補正対象書類名】明細書
【補正対象項目名】００１８
【補正方法】変更
【補正の内容】
【００１８】
請求項１５に記載の発明は、請求項１４に記載の画像形成装置において、
前記設定手段は、トレイの記録媒体情報として紙種を変更するにあたり、前記トレイの記録媒体情報に対応するトレイの名称が任意に設定されていない場合は、その変更した紙種をトレイの名称として自動的に設定することを特徴とする。
【手続補正１１】
【補正対象書類名】明細書
【補正対象項目名】００１９
【補正方法】変更
【補正の内容】
【００１９】
請求項１６に記載の発明は、請求項１から１５のいずれか一項に記載の画像形成装置において、
前記記録媒体情報は、記録媒体の紙種、坪量、色、パンチ穴の有無、主副画像位置及び主副走査倍率の少なくとも一つの項目を含むことを特徴とする。
請求項１７に記載の発明は、請求項１から１６のいずれか一項に記載の画像形成装置において、
前記画像形成部は、トレイの記録媒体情報に基づいて、当該トレイに収容された記録媒体に画像を形成することを特徴とする。
【手続補正１２】
【補正対象書類名】明細書
【補正対象項目名】００２０
【補正方法】変更
【補正の内容】
【００２０】
請求項１８に記載の発明は、
記録媒体情報と第１名称とを対応付けて第１名称記録媒体情報とし、複数の第１名称記録媒体情報を登録する工程と、
前記登録された複数の第１名称記録媒体情報から選択された第１名称記録媒体情報を、記録媒体を収容するトレイに対応付けて設定する工程と、を含むことを特徴とする記録媒体情報設定方法である。
【手続補正１３】
【補正対象書類名】明細書
【補正対象項目名】００２１
【補正方法】変更
【補正の内容】
【００２１】
請求項１９に記載の発明は、
記録媒体を収容するトレイの記録媒体情報及びトレイの名称を設定する工程と、
前記設定したトレイの記録媒体情報を変更するにあたり、前記トレイの記録媒体情報に対応するトレイの名称が任意に設定されていない場合は、変更した記録媒体情報の項目の少なくとも一つをトレイの名称として自動的に設定する工程と、を含むことを特徴とする記録媒体情報設定方法である。
【手続補正１４】
【補正対象書類名】明細書
【補正対象項目名】００２２
【補正方法】変更
【補正の内容】
【００２２】
請求項１又は１８に記載の発明によれば、記録媒体情報と第１名称とを対応付けた複数の第１名称記録媒体情報を登録し、登録された複数の第１名称記録媒体情報から選択された第１名称記録媒体情報をトレイに対応付けて設定するので、登録した複数の第１名称記録媒体情報から各トレイの第１名称記録媒体情報を選択して記録媒体情報を容易に設定できるとともに、第１名称を用いて第１名称記録媒体情報を容易に選択できる。
【手続補正１５】
【補正対象書類名】明細書
【補正対象項目名】００２４
【補正方法】変更
【補正の内容】
【００２４】
請求項３に記載の発明によれば、入力された記録媒体情報の項目の少なくとも一つを第１名称として自動的に登録するので、第１名称を入力することなく容易に登録できるとともに、ユーザが第１名称から記録媒体情報の項目の少なくとも１つを容易に把握できる。
【手続補正１６】
【補正対象書類名】明細書
【補正対象項目名】００２５
【補正方法】変更
【補正の内容】
【００２５】
請求項４に記載の発明によれば、入力された記録媒体情報の項目としての紙種を第１名称として自動的に登録するので、第１名称を入力することなく容易に登録できるとともに、ユーザが第１名称から記録媒体情報の紙種を容易に把握できる。
【手続補正１７】
【補正対象書類名】明細書
【補正対象項目名】００２６
【補正方法】変更
【補正の内容】
【００２６】
請求項５に記載の発明によれば、登録された第１名称記録媒体情報における記録媒体情報及び第１名称をそれぞれ変更できる。
【手続補正１８】
【補正対象書類名】明細書
【補正対象項目名】００２７
【補正方法】変更
【補正の内容】
【００２７】
請求項６に記載の発明によれば、選択された第１名称記録媒体情報における第１名称及び記録媒体情報を、それぞれトレイの名称及びトレイの記録媒体情報として設定するので、選択された第１名称記録媒体情報の第１名称及び記録媒体情報から各トレイの名称及び記録媒体情報を容易に設定できる。
請求項７に記載の発明によれば、設定したトレイの記録媒体情報を変更できる。
請求項８に記載の発明によれば、トレイの記録媒体情報に対応するトレイの名称が任意に設定されていない場合は、変更した記録媒体情報の項目の少なくとも一つをトレイの名称として自動的に設定するので、任意に設定されているトレイの名称を自動的に変更することを防ぎ、トレイの名称を入力することなく容易に設定できるとともに、ユーザがトレイの名称から記録媒体情報の項目の少なくとも１つを容易に把握できる。
【手続補正１９】
【補正対象書類名】明細書
【補正対象項目名】００２８
【補正方法】変更
【補正の内容】
【００２８】
請求項９に記載の発明によれば、トレイの名称が任意に設定されていない記録媒体情報の項目としての紙種を変更する場合に、その変更した紙種をトレイの名称に自動的に設定するので、任意に名称設定されているトレイの名称を自動的に変更することを防ぎ、ユーザがトレイの名称を入力することなく容易に設定できるとともに、ユーザがトレイの名称から記録媒体情報の紙種を容易に把握できる。
請求項１０に記載の発明によれば、トレイの名称及びトレイの記録媒体情報に、用紙サイズ情報を対応付けて設定できる。
請求項１１に記載の発明によれば、トレイの名称と、トレイの記録媒体情報と、用紙サイズ情報をともに表示できる。
請求項１２に記載の発明によれば、第１名称を用いて複数の第１名称記録媒体情報から第１名称記録媒体情報を選択できる。
【手続補正２０】
【補正対象書類名】明細書
【補正対象項目名】００２９
【補正方法】変更
【補正の内容】
【００２９】
請求項１３に記載の発明によれば、登録された第１名称とともに、対応する記録媒体情報を表示するので、ユーザが目視により、第１名称及び記録媒体情報の対応関係とともに、各記録媒体の情報を容易に把握できる。
【手続補正２１】
【補正対象書類名】明細書
【補正対象項目名】００３０
【補正方法】変更
【補正の内容】
【００３０】
請求項１４又は１９に記載の発明によれば、設定したトレイの記録媒体情報を変更するにあたり、前記トレイの記録媒体情報に対応するトレイの名称が任意に設定されていない場合は、変更した記録媒体情報の項目の少なくとも一つをトレイの名称として自動的に設定するので、任意に設定されているトレイの名称を自動的に変更することを防ぎ、トレイの名称を入力することなく容易に設定できるとともに、ユーザがトレイの名称から記録媒体情報の項目の少なくとも１つを容易に把握できる。
【手続補正２２】
【補正対象書類名】明細書
【補正対象項目名】００３１
【補正方法】変更
【補正の内容】
【００３１】
請求項１５に記載の発明によれば、トレイの名称が任意に設定されていない記録媒体情報の紙種を変更する場合に、その変更した紙種をトレイの名称に自動的に設定するので、任意に設定されているトレイの名称を自動的に変更することを防ぎ、トレイの名称を入力することなく容易に設定できるとともに、ユーザがトレイの名称から記録媒体情報の紙種を容易に把握できる。
【手続補正２３】
【補正対象書類名】明細書
【補正対象項目名】００３２
【補正方法】変更
【補正の内容】
【００３２】
請求項１６に記載の発明によれば、記録媒体情報は、記録媒体の紙種、坪量、色、パンチ穴の有無、主副画像位置及び主副走査倍率の少なくとも一つの項目を含むので、記録媒体情報を多様に構成できる。
請求項１７に記載の発明によれば、トレイの記録媒体情報に基づいて、当該トレイに収容された記録媒体に画像を形成できる。